(57)【特許請求の範囲】
【請求項１】
外壁の矩形状開口縁部に取り付ける開口枠を前記開口縁部と水密状態にして設け、該開口枠に屋外側に張り出す庇を取着自在にして設けてなる建物の開口部構造であって、
前記開口枠が、屋外側の外枠と、該外枠の屋内側に一体になされた内枠とからなり、前記内枠には窓障子又は戸障子が嵌め込まれ、前記外枠には前記庇が取着自在に設けられ、
前記外枠の上枠の上面には、凹溝が設けられ、
前記庇の上部の基部側の部分には、前記凹溝に挿入して前記上枠に引っ掛けるための引っ掛け片が設けられ、
前記庇の下部の基部側の部分には、前記外枠の前記上枠の下面に押し当てて固定するための取付片が設けられ、
前記外枠を前記外壁表面よりも屋内側に設け、前記外枠の前記上枠と前記外壁の前記開口縁部との間に前記庇の上部を前記上枠に引っ掛けるための空間を形成したことを特徴とする建物の開口部構造。
【請求項２】
前記庇の下部の基部側の部分は上方に折り曲げられて前記上部との間を開放し、
前記基部側の部分の屋内側面には、前記取付片が突出して設けられ、
前記基部側の部分の屋外側面と前記上部の間とには、双方を結合する結合部が形成され、
この結合部は、前記屋外側面から屋外側へ水平に延びる部分と、この部分から上方へ延びて前記上部に結合する部分とを有することを特徴とする請求項１記載の建物の開口部構造。
【請求項３】
前記建物が、箱形に組まれた建物ユニットを隣接配置して構築されるユニット建物であることを特徴とする請求項１または２項記載の建物の開口部構造。
【請求項４】
請求項１〜３のいずれか１項記載の建物の開口部構造の施工方法であって、
前記開口枠を、工場生産された前記外壁の前記開口縁部に水密状態で工場付けした後、この外壁を建築現場に輸送して、この外壁に取り付けられている前記開口枠の外枠に前記庇を現地付けしたことを特徴とする建物の開口部構造の施工方法。
【発明の詳細な説明】
【０００１】
【発明の属する技術分野】
本発明は、建物の開口部構造および建物の開口部構造の施工方法に関するものである。
【０００２】
【従来の技術】
従来の技術として、特願平１０−２８７５６６号公報には、庇取付部材、庇本体、カバー材とで構成される窓庇が記載されている（従来技術−１）。
また、実公平２−３２７８１号公報には、主枠と、この主枠の上枠に結合される庇材とを備えた庇付きサッシ枠が記載されている（従来技術−２）。この庇材は、Ｌ形突条どうしの係合とネジにより主枠の上面に結合され、庇材の基部に家屋への取付用の上方折曲げ片を形成したものである。
【０００３】
【発明が解決しようとする課題】
しかしながら、上記従来技術−１の窓庇は、庇取付部材、庇本体、カバー材とで構成されるので、部材数が多く、固定の手間がかかり、窓庇の有無によって取り付けられる建物側の部材が異なり、部品種類が多くかかるという問題がある。
また、従来技術−２の庇付きサッシ枠は、庇材の基部に家屋への取付用の上方折曲げ片を形成したものであって、この上方折曲げ片をどの様にして家屋へ取り付けるのか不明であるが、例えば、ビス等を使用するとビスが屋外に露出して外観性や防水の面で問題が生じることがある。
また、従来技術−２においては、主枠の上面に庇材を結合しているので、庇材の結合のために主枠を屋外側に突出させなければならず、このため、防水性や水切り性の関係から庇材なしの仕様にはできない。
【０００４】
本発明は、上記従来技術の問題を解決するためになされたものであって、庇の有無に関わらず防水性や水切り性を確保でき、施工性にもすぐれた建物の開口部構造および建物の開口部構造の施工方法を提供することを目的とする。
【０００５】
【課題を解決するための手段】
請求項１記載の発明は、建物の開口部構造であって、外壁の矩形状開口縁部に取り付ける開口枠を前記開口縁部と水密状態にして設け、該開口枠に屋外側に張り出す庇を取着自在にして設けてなることを特徴とする。
【０００６】
さらに、請求項１記載の発明は、前記開口枠が、屋外側の外枠と、該外枠の屋内側に一体になされた内枠とからなり、前記内枠には窓障子又は戸障子が嵌め込まれ、前記外枠には前記庇が取着自在に設けられ、
前記外枠の上枠の上面には、凹溝が設けられ、
前記庇の上部の基部側の部分には、前記凹溝に挿入して前記上枠に引っ掛けるための引っ掛け片が設けられ、
前記庇の下部の基部側の部分には、前記外枠の前記上枠の下面に押し当てて固定するための取付片が設けられていることを特徴とする。
【０００７】
さらに請求項１記載の発明は、前記外枠を前記外壁表面よりも屋内側に設け、前記外枠の前記上枠と前記外壁の前記開口縁部との間に前記庇の上部を前記上枠に引っ掛けるための空間を形成したことを特徴とする。
【０００８】
請求項２記載の発明は、請求項１記載の建物の開口部構造において、
前記庇の下部の基部側の部分は上方に折り曲げられて前記上部との間を開放し、
前記基部側の部分の屋内側面には、前記取付片が突出して設けられ、
前記基部側の部分の屋外側面と前記上部の間とには、双方を結合する結合部が形成され、
この結合部は、前記屋外側面から屋外側へ水平に延びる部分と、この部分から上方へ延びて前記上部に結合する部分とを有することを特徴とする。
【０００９】
請求項３記載の発明は、請求項１または２記載の建物の開口部構造において、前記建物が、箱形に組まれた建物ユニットを隣接配置して構築されるユニット建物であることを特徴とする。
【００１０】
請求項４記載の発明は、請求項１〜３のいずれか１項記載の建物の開口部構造の施工方法であって、前記開口枠を、工場生産された前記外壁の前記開口縁部に水密状態で工場付けした後、この外壁を建築現場に輸送して、この外壁に取り付けられている前記開口枠の外枠に前記庇を現地付けしたことを特徴とする。
【００１１】
（作用）
請求項１記載の建物の開口部構造は、開口枠を前記開口縁部と水密状態にして設けているので、建物との接合、防水は開口枠側で完結している。そして、該開口枠に屋外側に張り出す庇を取着自在にして設けているから、庇の有無に関わらず防水性を確保できる。
【００１２】
また、請求項１記載の建物の開口部構造は、前記開口枠が、屋外側の外枠と、該外枠の屋内側に一体になされた内枠とからなり、内枠には窓障子又は戸障子が嵌め込まれ、外枠には前記取着自在の庇が設けられるので、上記と同様の作用を有している。
【００１３】
請求項１記載の建物の開口部構造は、さらに、前記庇の上部を外枠の上枠に引っ掛け可能にし、庇の下部を該上枠の下面に押し当てて固定可能にしているので、庇の取付けが容易となり、施工性がよい。
【００１４】
請求項１記載の建物の開口部構造は、さらに、前記外枠を、外壁表面から突出しないように設けているので、庇が無い場合でも、水切り性を確保できる。
【００１５】
請求項３記載の建物の開口部構造は、さらに、前記建物が、箱形に組まれた建物ユニットを隣接配置して構築されるユニット建物であって、この開口部の防水は開口枠側で完結しているので、輸送上邪魔になる庇を現地取付けにしても防水等の品質を確保できる。
【００１６】
請求項４記載の建物の開口部構造の施工方法は、開口枠を外壁パネルの開口縁部に工場付けし、庇を現地付けするようにしたので、外壁パネルの面から突出するものがなくなり、輸送が容易となる。殊に、建物がユニット建物の場合、庇を現地付けすることで建物ユニットから庇が突出しないので、道路交通法による建物ユニットの輸送制限を回避できる。
そして、開口枠を水密状態で工場付けしているので、防水は開口枠側で完結しており、狭小敷地等で隣接地と接する側の開口部を庇無しにしても、防水等の品質を確保できる。
【００１７】
【発明の実施の形態】
以下、本発明の実施の形態について図面を参照しながら詳細に説明する。
図１〜図５は本発明の一実施の形態であって、図１はユニット建物の開口部の斜視図、図２は図１の開口部の縦断面図、図３は図２の要部を拡大して示す断面図である。図４は庇であって、（イ）図は斜視図、（ロ）図は断面図であり、図５は図１の開口部を設けた建物ユニットの斜視図である。
図において、１は外壁、１０は外壁パネル、１００は建物ユニットである。
【００１８】
（建物）
本実施の形態において、建物は、図５に示すような箱形に組まれた建物ユニット１００を隣接配置して構築されるユニット建物である。
上記建物ユニット１００は、床パネル２０の上にＬ字形の外壁パネル１０を立設して、図１に示す外壁１を形成している。この外壁パネル１０は、外壁面材１１と内壁面材１２を不図示の構造枠材の両側に貼設して中空パネルになされ、これに開口２を設けている。
なお、上記建物ユニット１００は、壁式工法のものになされているが、柱、梁を箱状に接合した軸組式のものであってもよい。
【００１９】
（開口部構造）
本実施の形態におけるユニット建物の開口部構造は、図１〜図３に示すように、外壁１（外壁パネル１０）の矩形状開口２縁部に取り付ける開口枠３を、外壁１表面から突出しないように、かつ、前記開口２縁部と水密状態にして設け、この開口枠３に屋外側に張り出す庇７を取着自在にして設けている。
【００２０】
上記開口枠３は、図２に示すように、屋外側の外枠４と、この外枠４の屋内側に一体になされた内枠５とからなっている。
外枠４は、矩形状開口２縁部に取り付けられるものであるから、同じく矩形状になされ、この外枠４より内寸法がひと回り小さい内枠５が外枠４と一体にして設けられている。上記内枠５にはすべり出し窓障子６を嵌め込み、外枠４には前記取着自在の庇７を設けている。
【００２１】
具体的には、前記庇７は、図４に示すように、上面を傾斜面とし、下面を水平面とした中空体であり、この庇７の上部７ａの基部側の部分７０にその先端部が下方に折れ曲がった略Ｌ字の引掛片７１を設け、下部７ｂの基部側の部分７４に屋内側に突出する略水平な取付片７２を設けている。取付片７２にはビス孔７３が形成されている。
さらに、庇７について説明すると、下部７ｂの基部側の部分７４は上方に折り曲げられ、上部７ａとの間を開放している。基部側の部分７４の屋内側面には前記取付片７２が突出して設けられている。基部側の部分７４の屋外側面と上部７ａとの間には双方を結合する結合部７５が形成されている。この結合部７５は、屋外側面から屋外側へ水平に延びる部分７５ａと、この部分７５ａから上方へ延びて上部７ａに結合する部分７５ｂとを有している。
また、開口枠３の外枠４は、上枠４１と、下枠４５と、これらを上下に接続する縦枠（不図示）とから矩形状になされている。上枠４１の先端部には、図３に示すように、上方に突き出た垂直片４２を設け、垂直片４２の下部を屋外側へ水平方向に折れ曲げ、その先端側に凹溝４３を設けている。
【００２２】
図３に示すように、外枠４の上枠４１と外壁１（外壁面材１１）の開口２縁部との間には、庇７の上部７ａを上枠４１に引っ掛けるための空間Ｓが形成されている。そして、庇７の引掛片７１を上記上枠４１の凹溝４３に挿入することにより、庇７の上部７ａを外枠４の上枠４１に引っ掛け可能にしている。
そして、庇７の下部に設けた取付片７２を上枠４１の下面４４に押し当て、ビス等で固定できるようにしている。
なお、外枠４は、外壁１の開口２縁部との間に水密材Ｐ１、Ｐ２、Ｐ３を介在させて取り付けることにより、開口枠３を水密状態にしている。その際、外枠４の上枠４１においては、垂直片４２を外壁面材１１の裏面側に当接させている。
また、下枠４５においては、下枠４５の下面と外壁面材１１の端面との間にパッキンを介在させて水密状態にするとともに、水切り材８を下枠４５の屋外側に引っ掛け、ビス等でその下方を固定している。
【００２３】
（ユニット建物の開口部構造の施工方法）
つぎに、上記構成になされたユニット建物の開口部構造の施工方法について説明する。
前記したように、開口枠３は、屋外側の外枠４と、該外枠４の屋内側に一体になされた内枠５とから構成され、この開口枠３を、工場生産された建物ユニット１００の外壁パネル１０の矩形状開口２縁部に外壁表面から概略突出しないように、かつ、水密状態で工場付けする。そして、この外壁パネル１０の開口２に開口枠３を取り付けた建物ユニット１００を建築現場に輸送する。
建築現場では、上記建物ユニット１００と他の建物ユニットとを隣接配置してユニット建物を構築し、前記開口枠３の外枠４に庇７を現地付けする。
【００２４】
（実施例の作用）
本実施例に示したユニット建物の開口部構造は、開口枠３を、外壁表面から突出しないように、かつ、前記開口２縁部と水密状態にして設けているので、建物との接合、防水は開口枠３側で完結している。そして、該開口枠３に屋外側に張り出す庇７を取着自在にして設けているから、庇７の有無に関わらず防水性や水切り性を確保できる。
【００２５】
さらに、前記庇７の上部を外枠４の上枠４１に引っ掛け可能にし、庇７の下部を該上枠４１の下面に押し当てて固定可能にしているので、庇７の取付けが容易となり、施工性がよい。
【００２６】
さらに、前記建物が、箱形に組まれた建物ユニット１００を隣接配置して構築されるユニット建物であって、この開口２の防水は開口枠３側で完結しているので、輸送上邪魔になる庇７を現地取付けにしても防水等の品質を確保できる。
【００２７】
そして、本実施例のユニット建物の開口部構造の施工方法によると、開口枠３を外壁面から概略突出しないように外壁パネル１０の開口２縁部に工場付けして建物ユニット１００を組み立て、この建物ユニット１００を建築現場に輸送してユニット建物を構築し、庇７を現地付けするようにした。
【００２８】
【発明の効果】
請求項１記載の建物の開口部構造によると、庇の有無に関わらず防水性を確保できる。また、庇の取付けが容易となり、施工性がよい。
【００２９】
請求項１記載の開口部構造によると、さらに、庇の有無に関わらず水切り性を確保できる。
【００３２】
請求項３記載の建物の開口部構造は、さらに、前記建物がユニット建物であって、この開口部の防水は開口枠側で完結しているので、輸送上邪魔になる庇を現地取付けにしても防水等の品質を確保できる。
【００３３】
請求項４記載の建物の開口部構造の施工方法は、庇を現地付けするようにしたので、外壁パネルの面から突出するものが略なくなり、輸送が容易となる。
殊に、建物がユニット建物の場合、庇を現地付けすることで道路交通法による建物ユニットの輸送制限を回避できる。
そして、狭小敷地等で隣接地と接する側の開口部を庇無しにしても、防水等の品質を確保できる。
【図面の簡単な説明】
【図１】本発明の一実施の形態であって、ユニット建物の開口部の斜視図である。
【図２】図１の開口部の縦断面図である。
【図３】図２の要部を拡大して示す断面図である。
【図４】庇であって、（イ）図は斜視図、（ロ）図は断面図である。
【図５】図１の開口部を設けた建物ユニットの斜視図である。
【符号の説明】
１ 外壁
２          開口
３          開口枠
４          外枠
５          内枠
６          窓障子
７          庇
８          水切り
１０        外壁パネル
４１        上枠
１００      建物ユニット
【図１】
0004790916.tif 000002
【図２】
0004790916.tif 000003
【図３】
0004790916.tif 000004
【図４】
0004790916.tif 000005
【図５】
0004790916.tif 000006